(57)【要約】【課題】  ホログラム反射層に起因するホログラム調の装飾とデザイン印刷層に起因するデザインに加えて、別の装飾が付与されたラベル形成用基材を提供する。【解決手段】  本発明のラベル形成用基材１は、デザインが表されたデザイン印刷層２と、金属膜３１を含むホログラム反射層３と、を有し、前記デザイン印刷層２が、透光性を有する無模様の不透明層４の第１面側に設けられ、前記ホログラム反射層３が、前記不透明層４の第２面側に断続的に設けられ、前記ホログラム反射層３を有さない領域が、第２面側から前記不透明層４を視認できる視認部５とされている。【選択図】  図３
2018169558.tif 000002
【特許請求の範囲】
【請求項１】
デザインが表されたデザイン印刷層と、金属膜を含むホログラム反射層と、を有し、
前記デザイン印刷層が、透光性を有する無模様の不透明層の第１面側に設けられ、
前記ホログラム反射層が、前記不透明層の第２面側に断続的に設けられ、
前記ホログラム反射層を有さない領域が、第２面側から前記不透明層を視認できる視認部とされている、ラベル形成用基材。
【請求項２】
前記ホログラム反射層を有さない領域の少なくとも１つが、前記視認部とされ、
前記ホログラム反射層を有さない領域の少なくとも１つに、デザインが表された副デザイン印刷層が設けられている、請求項１に記載のラベル形成用基材。
【請求項３】
デザインが表されたデザイン印刷層と、金属膜を含むホログラム反射層と、を有し、
前記ホログラム反射層が、透光性を有する無模様の不透明層の第１面側に断続的に設けられ、
前記ホログラム反射層を有さない領域の少なくとも１つが、第１面側から前記不透明層を視認できる視認部とされ、
前記ホログラム反射層を有さない領域の少なくとも１つに、前記デザイン印刷層が設けられている、ラベル形成用基材。
【請求項４】
前記ホログラム反射層を有する領域を海とし且つ視認部を島とする海島状となるように、前記ホログラム反射層が、断続的に設けられている、請求項１乃至３のいずれか一項に記載のラベル形成用基材。
【請求項５】
前記不透明層が、無模様一色の印刷層を含む、請求項１乃至４のいずれか一項に記載のラベル形成用基材。
【発明の詳細な説明】
【技術分野】
【０００１】
本発明は、タックラベル、筒状ラベルなどの各種ラベルを形成するために用いられるラベル形成用基材に関する。
【背景技術】
【０００２】
従来、菓子、化粧品、薬など様々な物品が流通している。前記物品には、商品名、絵柄、説明書きなどの所望のデザインが表された各種ラベルが装着されている。
前記ラベルとしては、物品への装着手法の違いに基づいて分類すると、例えば、粘着剤や接着剤などの貼着剤を用いて物品に貼り付けられるラベル、熱収縮によって物品に装着されるラベル（シュリンクラベル、熱収縮性筒状ラベルなどとも呼ばれる）、自己伸縮力によって物品に装着されるラベル（ストレッチラベル、自己伸縮性筒状ラベルなどとも呼ばれる）などが知られている。
このような各種ラベルはいずれも、デザインが表示された基材を所望の形状に加工することによって形成される。以下、前記各種ラベルを形成するために用いられる基材を「ラベル形成用基材」という。
【０００３】
前記ラベルには、外見上、看者の注意を惹くために様々な加飾が施されている。例えば、特許文献１のように、ホログラム調の外観を有するラベルが知られている。
特許文献１のラベルは、ホログラム反射層の表面に、ホログラム反射層よりも小面積の透明なカラーインキ層が積層され、ホログラム反射層の縁部がカラーインキ層の縁部から外側にはみ出している。
かかるラベルは、カラーインキ層の外側にホログラム反射層の縁部がはみ出しているので、ホログラム反射層のみの場合やホログラム反射層の縁部とカラーインキ層の縁部が一致している場合に比して、ホログラム反射層の模様のエッジが際立って見える。
【先行技術文献】
【特許文献】
【０００４】
【特許文献１】特開２０１４−５９５２９号公報
【発明の概要】
【０００５】
特許文献１では、ホログラム反射層の表面にカラーインキ層を重ね且つホログラム反射層の縁部をはみ出させるという装飾手法を採っているが、この装飾手法にあっては、ホログラム反射層の表面にカラーインキ層を積層しなければならないという制約がある。
また、特許文献１では、ホログラム反射層にカラーインキ層を組み合わせて得られる装飾外観がラベルに付与されるが、さらなる装飾を施すことも求められる。
【発明が解決しようとする課題】
【０００６】
本発明の目的は、ホログラム反射層に起因するホログラム調の装飾とデザイン印刷層に起因するデザインに加えて、さらに、別の装飾が付与されたラベル形成用基材を提供することである。
【課題を解決するための手段】
【０００７】
本発明の第１のラベル形成用基材は、デザインが表されたデザイン印刷層と、金属膜を含むホログラム反射層と、を有し、前記デザイン印刷層が、透光性を有する無模様の不透明層の第１面側に設けられ、前記ホログラム反射層が、前記不透明層の第２面側に断続的に設けられ、前記ホログラム反射層を有さない領域が、第２面側から前記不透明層を視認できる視認部とされている。
好ましくは、前記ホログラム反射層を有さない領域の少なくとも１つが、前記視認部とされ、前記ホログラム反射層を有さない領域の少なくとも１つに、デザインが表された副デザイン印刷層が設けられている。
【０００８】
本発明の第２のラベル形成用基材は、デザインが表されたデザイン印刷層と、金属膜を含むホログラム反射層と、を有し、前記ホログラム反射層が、透光性を有する無模様の不透明層の第１面側に断続的に設けられ、前記ホログラム反射層を有さない領域の少なくとも１つが、第１面側から前記不透明層を視認できる視認部とされ、前記ホログラム反射層を有さない領域の少なくとも１つに、前記デザイン印刷層が設けられている。
【０００９】
本発明の好ましいラベル形成用基材は、前記ホログラム反射層を有する領域を海とし且つ視認部を島とする海島状となるように、前記ホログラム反射層が断続的に設けられている。
本発明の好ましいラベル形成用基材は、前記不透明層が、無模様一色の印刷層を含む。
【発明の効果】
【００１０】
本発明の第１のラベル形成用基材をその第１面側から見ると、デザイン印刷層のデザインが見え、その第２面側から見ると、ホログラム反射層に起因するホログラム調の模様と視認部における不透明層の色彩模様とが見える。
また、本発明の第２のラベル形成用基材をその第１面側から見ると、デザイン印刷層のデザインと、ホログラム反射層に起因するホログラム調の模様と、視認部における不透明層の色彩模様とが見える。
このように本発明のラベル形成用基材は、ホログラム調の装飾とデザインに加えて、視認部における不透明層の色彩模様が付与されており、かかるラベル形成用基材を用いることにより、装飾性に優れたラベルを形成できる。
【図面の簡単な説明】
【００１１】
【図１】第１実施形態のラベル形成用基材の側面図。
【図２】同ラベル形成用基材の平面図（ラベル形成用基材を図１の矢印ＩＩ方向から見た平面図）。
【図３】図２のＩＩＩ−ＩＩＩ線で切断した拡大断面図。
【図４】第１実施形態のラベルを第１面側から見た平面図。
【図５】同ラベルを第２面側から見た平面図。
【図６】図５のＶＩ−ＶＩ線で切断した拡大断面図。
【図７】図５のＶＩＩ−ＶＩＩ線で切断した拡大断面図。
【図８】ラベル形成用基材の製造過程を示す拡大端面図。
【図９】同製造過程を示す拡大端面図。
【図１０】第１実施形態のラベル付き物品の正面図。
【図１１】同ラベル付き物品の背面図。
【図１２】第１実施形態の第１変形例に係るラベルの拡大断面図。
【図１３】第１実施形態の第２変形例に係るラベルの拡大断面図。
【図１４】第１実施形態の第３変形例に係るラベルの拡大断面図。
【図１５】第１実施形態の第４変形例に係るラベルの拡大断面図。
【図１６】第１実施形態の第５変形例に係るラベルの拡大断面図。
【図１７】第１実施形態の第６変形例に係るラベルの斜視図。
【図１８】第２実施形態のラベル形成用基材の平面図。
【図１９】図１８のＸＩＸ−ＸＩＸ線で切断した拡大断面図。
【図２０】第２実施形態のラベルの斜視図。
【図２１】図２０のＸＸＩ−ＸＸＩ線で切断した拡大断面図。
【図２２】第２実施形態の変形例に係るラベル形成用基材の拡大断面図。
【発明を実施するための形態】
【００１２】
以下、本発明の実施形態について図面を参照しながら説明する。
本明細書において、「第１面」は、シート状のラベル形成用基材や不透明層などの各層における一方側の面を指し、「第２面」は、前記第１面とは反対側の面を指す。また、「平面視」は、第１面又は第２面に対して垂直な方向から見ることを言い、「平面視形状」は、前記方向から見たときの形状を言う。「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
各図に示される層、部分及び部材の寸法、縮尺及び形状は、実際のものとは異なっている場合があることに留意されたい。
【００１３】
［第１実施形態］
第１実施形態は、不透明層を基準にして、その第１面側にデザイン印刷層が設けられ且つその第２面側に断続的なホログラム反射層が設けられているラベル形成用基材及びその基材から形成されるラベルに関する。
【００１４】
＜ラベル形成用基材＞
図１は、ラベル形成用基材の側面図であり、図２は、ラベル形成用基材を第１面側から見た平面図であり、図３は、ラベル形成用基材を長手方向で切断した拡大断面図である。
ラベル形成用基材は、上述のように各種ラベルを形成するために用いられる基材である。
【００１５】
ラベル形成用基材１は、通常、図１及び図２に示すように平面視長尺帯状に形成されている。もっとも、本発明のラベル形成用基材１は、平面視長尺帯状に形成されているものに限られず、平面視正方形状や円形状などの枚葉状に形成されていてもよい。
前記長尺帯状は、長手方向の長さが短手方向よりも十分に長い平面視略長方形状をいう。長尺帯状としては、例えば、短手方向の長さが２０ｍｍ〜１０００ｍｍで、長手方向の長さが３ｍ以上であり、好ましくは、長手方向の長さが５ｍ以上である。なお、短手方向は、長手方向と直交する方向である。
図１に示すように、長尺帯状のラベル形成用基材１は、例えば、筒状の芯材１９の回りにロール状に巻き取られ、ロール体とされている。ロール体とされたラベル形成用基材１は、その長手方向に容易に引き出すことができる。前記ラベル形成用基材１は、図示のように第１面側を外側にして巻かれていてもよく、或いは、その第１面側を内側にして巻かれていてもよい。
図１及び図２では、ラベル形成用基材１をロール状に巻き取ったロール体から、ラベル形成用基材１の長手方向先端部分を引き出した状態で示している。もっとも、長尺帯状に形成される場合において、そのラベル形成用基材１は、ロール状に巻き取られたものに限定されるわけではない。
【００１６】
前記長尺帯状のラベル形成用基材１を切り出すことにより、個々のラベルを作製できる。従って、長尺帯状のラベル形成用基材１は、概念的には、複数のラベルが連続的に繋がったラベル前駆体とも言える。
第１実施形態では、任意の物品に貼り付けて使用されるラベル（以下、貼付けラベルという）を形成するラベル形成用基材を説明する。
前記長尺帯状のラベル形成用基材１には、１つの貼付けラベルを構成するデザインが長手方向に繰り返して形成されている。１つの貼付けラベルの外形に沿ってラベル形成用基材１及びセパレータを切り取ることにより、個々の貼付けラベルが得られる。図２の一点鎖線は、セパレータを含むラベル形成用基材１から貼付けラベルを形成する際の、切り取り線を示している。また、図３の矢印は、前記切り取り線に対応する箇所を指し示している。
【００１７】
図４乃至図７は、前記ラベル形成用基材１から形成された１つの貼付けラベルＡを示している。この貼付けラベルＡとラベル形成用基材１の層構成などは、殆ど同じであるため、貼付けラベルＡの層構成などを主として詳述し、ラベル形成用基材１を示す図面に同じ符号を付す。
【００１８】
貼付けラベルＡの平面視形状は、特に限定されず、適宜設定される。例えば、貼付けラベルＡは、図４に示すような平面視略四角形状のほか、特に図示しないが、平面視略円形状；平面視略楕円形状；略三角形状、略六角形状などの平面視略多角形状；平面視略Ｔ字状；平面視略星形状；これらの形状が組み合わされた異形状；などに形成されていてもよい。本明細書において「略」は、本発明の属する技術分野において許容される範囲を意味する。略円及び略楕円の「略」は、例えば、周の一部が僅かに膨らむ又は窪んでいる形状、周の一部が若干直線又は斜線とされた形状などが含まれる。略四角などの略多角、略Ｔ字、略星の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。
【００１９】
貼付けラベルＡ及びラベル形成用基材１のそれぞれは、デザインが表されたデザイン印刷層２と、金属膜を含むホログラム反射層３と、透光性を有する無模様の不透明層４と、を有する。以下、貼付けラベルＡ及びラベル形成用基材１の層構成の説明において、貼付けラベルＡ及びラベル形成用基材１を、単に貼付けラベルＡと記す場合がある。
本実施形態の貼付けラベルＡは、前記デザイン印刷層２が、前記不透明層４の第１面側に設けられ、前記ホログラム反射層３が、前記不透明層４の第２面側に断続的に設けられている。そして、前記ホログラム反射層３を有さない領域の一部分又は全部に、第２面側から前記不透明層４を視認できる視認部５が設けられている。
【００２０】
具体的には、貼付けラベルＡ及びラベル形成用基材１のそれぞれは、図３、図６及び図７に示すように、第２面側から第１面側に向かって順に、貼着剤層６１と、シート状基材７と、断続的なホログラム反射層３と、不透明層４と、デザイン印刷層２と、を有する。さらに、必要に応じて、前記貼着剤層６１の第２面側に、セパレータ６２が設けられていてもよい。さらに、必要に応じて、不透明層４の第２面側に副デザイン印刷層２１が設けられていてもよい。
セパレータは、一般に離型紙とも呼ばれるシート材であり、例えば、離型面を有する紙や合成樹脂製シートなどが挙げられる。
【００２１】
・貼着剤層
貼着剤層６１は、貼付けラベルＡと物品の間に介在して両者を接着させる層である。つまり、貼着剤層６１は、貼付けラベルＡを物品に貼り付けるために設けられている。
貼着剤層６１は、粘着剤又は接着剤から構成される。前記粘着剤は、２つの被着体の間に介在して両者を接着でき、剥離後再貼付可能なものであって、被着体の間に介在している状態で柔軟性（粘着性）を有するものをいう。接着剤は、２つの被着体の間に介在して両者を接着でき、剥離後再貼付不能なものであって、被着体の間に介在している状態で柔軟性を喪失しているものをいう。
本実施形態では、貼着剤層６１は、透光性を有する透明な粘着剤又は接着剤から構成され、好ましくは、透光性を有する無色透明な粘着剤又は接着剤から構成される。
【００２２】
貼付けラベルＡにあっては、通常、粘着剤からなる貼着剤層６１が用いられる。粘着剤は、様々なタイプが知られているが、その種類は特に限定されない。例えば、感圧型粘着剤、感熱型粘着剤などを用いることができる。感圧型粘着剤は、室温下で粘着力を有する粘着剤であり、通常、セパレータ６２上にシート状基材７と共に貼付されて供給されるタイプの粘着剤である。感熱型粘着剤は、室温下で粘着力を有さず、且つ加熱することによって粘着性を生じる粘着剤であり、ディレードタック型感熱粘着剤、パートコート型感熱粘着剤、ホットメルト型感熱粘着剤などが知られている。
感圧型粘着剤からなる貼着剤層６１を用いる場合には、貼着剤層６１の露出による粘着を防止するために、図示のように、貼着剤層６１の第２面をセパレータ６２上に仮貼付した状態で貼付けラベルＡが保管・運搬などに供される。
なお、感熱型粘着剤からなる貼着剤層を用いた場合には、貼着剤層の第２面が露出した状態でもよく（図示せず）、この場合には、セパレータを省略してもよい。なお、感熱型粘着剤からなる貼着剤層を用いた場合でも、セパレータ上に仮貼付してもよい。
貼着剤層６１の厚みは、特に限定されず、例えば、１０μｍ〜４０μｍである。
【００２３】
図示例では、貼着剤層６１は、シート状基材７の面方向に全体的に亘って設けられているが、貼着剤層を一部分に設けてもよい（図示せず）。このように貼着剤層を部分的に設けた貼付けラベルは、所謂ＰＯＰラベル（アイキャッチラベルなどとも呼ばれる）として使用することもできる。
【００２４】
・シート状基材
シート状基材７は、ラベルとしての柔軟性と強度を有し、さらに、透光性を有する基材から形成される。
前記シート状基材７は、特に限定されず、従来公知のものを用いることができる。なお、シートとは、一般にフィルムと呼ばれるものと同義である。
前記シート状基材７としては、例えば、１層の樹脂層又は２層以上の樹脂層からなる合成樹脂製シート、合成紙、発泡樹脂シート、不織布、又は、これらから選ばれる２種以上の積層体などが挙げられる。前記合成樹脂製シートなどの合成樹脂の材質は特に限定されず、例えば、ポリエチレン、ポリプロピレン、環状オレフィン、ポリエチレンを含む共重合ポリマーなどのポリオレフィン系、ポリエチレンテレフタレートなどのポリエステル系、ポリアミド系、ポリスチレン系などが挙げられる。
シート状基材７は、熱収縮性及び／又は自己伸縮性を有していてもよく、或いは、それらを有さない基材でもよい。貼付けラベルＡには、通常、熱収縮性及び自己伸縮性を有さない基材を用いることが多い。
シート状基材７の厚みは、特に限定されず、例えば、３０μｍ〜１５０μｍ程度である。
【００２５】
シート状基材７は、透光性を有することを条件として、透明又は不透明のいずれでもよい。なお、本発明において、透明は、無色透明又は有色透明という意味である。
透明なシート状基材７としては、例えば、透明な合成樹脂製シートなどが挙げられ、不透明なシート状基材７としては、乳白色の合成樹脂製シート、所望の色彩に着色された着色合成樹脂製シート、合成紙、発泡樹脂シート、不織布、又は、これらを含む積層体などが挙げられる。
本実施形態では、シート状基材７として、透光性を有する透明なシート状基材７が用いられ、好ましくは、透光性を有する無色透明なシート状基材７が用いられる。
【００２６】
ここで、本発明において、「透光性を有する」とは、任意の層又はシート状基材の厚み方向に可視光線が透過する性質を有することをいい、「透光性を有さない」とは、任意の層又はシート状基材の厚み方向に可視光線が透過しない性質を有することをいう。
また、本発明において、「透明」は、任意の層又はシート状基材の裏面側に、その裏面から１ｃｍ離れた箇所に、白地の紙に黒色インキで任意の数字（大きさ１２ポイント）を印刷したものを配置し、前記層又はシート状基材を透かしてその数字を表面側からその数字を認識できる状態をいう。「不透明」は、前記と同じ条件で裏面側に配置した数字を、前記層又はシート状基材を透かして表面側から認識できない状態をいう。
透明性（透明、不透明）と透光性（可視光線の透過、非透過）は、別個独立した事項であり、これらの２つの性質の関係は、（ａ）透明且つ透光性を有する場合、（ｂ）不透明且つ透光性を有する場合、（ｃ）不透明且つ透光性を有さない場合、に分けられる。
【００２７】
任意の層又はシート状基材のそれぞれの透明性の指標は、例えば、へーズで表すことができる。透明な層又はシート状基材のへーズは、それぞれ独立して、例えば、１５％以下であり、好ましくは、１０％以下であり、より好ましくは、５％以下である。ただし、前記へーズは、測定対象（透明なシート状基材である場合にはそのシート状基材自体が測定対象、透明な任意の層である場合には、前記透明なシート状基材にその任意の層を設けたものが測定対象）を、ＪＩＳ  Ｋ  ７３６１（プラスチック−透明材料の全光線透過率の試験方法）に準拠した測定法によって測定される値をいう。不透明な層又はシート状基材のへーズは、それぞれ独立して、例えば、１５％を越え、好ましくは、２０％以上であり、より好ましくは、２５％以上である。ただし、前記へーズは、測定対象（不透明なシート状基材である場合にはそのシート状基材自体が測定対象、不透明な任意の層である場合には上述の透明なシート状基材にその任意の層を設けたものが測定対象）を、ＪＩＳ  Ｋ  ７３６１に準拠した測定法によって測定される値をいう。
【００２８】
任意の層又はシート状基材のそれぞれの透光性の指標は、例えば、全光線透過率を用いて表すことができる。透光性を有する層又はシート状基材の全光線透過率は、それぞれ独立して、例えば、２０％以上であり、好ましくは３０％以上であり、より好ましくは４０％以上である。ただし、前記全光線透過率は、測定対象（透光性を有するシート状基材である場合にはそのシート状基材自体が測定対象、透光性を有する任意の層である場合には、全光線透過率が８０％以上のシート状基材にその任意の層を設けたものが測定対象）を、ＪＩＳ  Ｋ  ７３６１に準拠した測定法によって測定される値をいう。透光性を有さない層又はシート状基材の全光線透過率は、それぞれ独立して、例えば、２０％未満であり、好ましくは１０％以下であり、より好ましくは５％以下である。ただし、前記全光線透過率は、測定対象（透光性を有さないシート状基材である場合にはそのシート状基材自体が測定対象、透光性を有さない任意の層である場合には、全光線透過率が８０％以上のシート状基材にその任意の層を設けたものが測定対象）を、ＪＩＳ  Ｋ  ７３６１に準拠した測定法によって測定される値をいう。
【００２９】
・ホログラム反射層
ホログラム反射層３は、不透明層４の第２面側であって、シート状基材７の第１面側に設けられている。つまり、本実施形態では、ホログラム反射層３は、不透明層４とシート状基材７の間に設けられている。
ホログラム反射層３は、接着層６３を介してシート状基材７の第１面に接着されている。なお、ホログラム反射層３がシート状基材７に直接的に接着可能である場合には、前記接着層６３を省略することもできる。
【００３０】
ホログラム反射層３は、金属膜３１を含んでいる。金属膜３１を含むホログラム反射層３は、不透明な層であって、透光性を有さない層である。
前記ホログラム反射層３は、金属膜３１に反射する光によってホログラム調の外観を呈する。このようなホログラム反射層３は、従来公知のものを用いることができる。例えば、ホログラム調の外観を呈するように、ホログラム反射層３は凹凸状に形成された金属膜３１を含んでいる。
前記金属膜３１の材質は、特に限定されず、例えば、金属、半金属若しくはこれらの２種以上の複合物、又は、これらの金属、半金属若しくは複合金の酸化物、硫化物、酸化炭化物若しくは酸化窒化物などから形成されている。前記金属としては、アルミニウム、金、銀、銅、チタン、錫、亜鉛、クロム、ニッケル、マグネシウム、ガリウム、及び合金などが挙げられる。前記半金属（金属と非金属の中間的性質を示すもの）としては、例えば、ケイ素、ビスマス、ゲルマニウムなどが挙げられる。
前記金属膜３１の厚みは、特に限定されず、例えば、１０ｎｍ〜１０００ｎｍであり、好ましくは、５０ｎｍ〜８００ｎｍである。
【００３１】
ホログラム反射層３は、金属膜３１を含んでいればよく、必要に応じて、樹脂層３２を含んでいてもよい。図示例では、ホログラム反射層３は、金属膜３１と、その金属膜３１の両面に積層された透明な樹脂層３２と、からなる。ホログラム反射層３の詳細は、図８及び図９を参照されたい。前記樹脂層３２は、金属膜３１を被覆して保護する保護層となる。なお、樹脂層３２は、金属膜３１の一方の面にのみ積層されていてもよい（図示せず）。
また、樹脂層３２と金属膜３１を有するホログラム反射層３の厚みは、特に限定されず、例えば、３μｍ〜３０μｍである。
【００３２】
前記ホログラム反射層３は、シート状基材７の第１面（換言すると、不透明層４の第２面）に、その面方向に断続的に設けられている。ホログラム反射層３が断続的に設けられることによって、シート状基材７の第１面側（不透明層４の第２面側）において前記ホログラム反射層３を有さない領域が生じ、好ましくは、ホログラム反射層３を有さない領域が複数箇所生じる。
換言すると、シート状基材７の第１面側（不透明層４の第２面側）にホログラム反射層３を部分的に積層することにより、平面視で、シート状基材７の第１面側（不透明層４の第２面側）において、ホログラム反射層３を有する領域と、シート状基材７の第１面が露出したホログラム反射層３を有さない領域と、が設けられる。以下、平面視で、ホログラム反射層３を有する領域を「反射領域」といい、ホログラム反射層３を有さない領域を「空き領域」という場合がある。
【００３３】
反射領域と空き領域は、平面視で、何れか一方の領域を海とし且つ何れか他方を島とする海島状に配設されていてもよく、何れを海又は島とも言えない非海島状に配設されていてもよい。好ましくは、ホログラム反射層３は、反射領域及び空き領域の何れか一方の領域を海とし且つ何れか他方を複数の島とする海島状となった部分を有するように断続的に設けられ、より好ましくは、反射領域を海とし且つ空き領域を複数の島とする海島状となった部分を有するように断続的に設けられる。
【００３４】
前記複数の空き領域の平面視形状は、特に限定されず、適宜設定される。
例えば、複数の空き領域が互いに異なる平面視形状に形成されていてもよく、或いは、複数の空き領域から選ばれる２つ以上が互いに同じ形状で、残部が前記形状とは異なる平面視形状であってもよく、或いは、複数の空き領域から選ばれる２つ以上が互いに同じ形状で、さらに異なる２つ以上が前記形状とは異なる形状であって互いに同じ形状で、残部が前記形状とは異なる平面視形状であってもよい。
図示例では、複数の空き領域から選ばれる１つの空き領域が、比較的大面積の平面視略四角形状に形成され、残部の複数の空き領域が全て任意の平面視模様（例えば、アルファベット、記号、絵柄など）に形成されている。
【００３５】
そして、前記複数の空き領域のうち少なくとも１つが、第２面側から前記不透明層４を視認できる視認部５とされている。不透明層４を空き領域に設けることによって、その空き領域においては、第２面側から不透明層４を視認できる。つまり、空き領域そのものが視認部５となる。好ましくは、平面視で、反射領域を海とし且つ視認部５を島とする海島状に設けられている。
また、副デザイン印刷層２１が設けられている本実施形態にあっては、前記空き領域のうち少なくとも１つに、副デザイン印刷層２１が設けられている。
図示例では、１つの空き領域である平面視略四角形状の空き領域に、副デザイン印刷層２１が設けられ、前記以外の任意の平面視模様の空き領域の全てが、視認部５とされている。
副デザイン印刷層２１は、１色又は多色のインキを用いてデザインを描くようにして公知の印刷法にて印刷することによって形成された層である。副デザイン印刷層２１の詳細は、後述するデザイン印刷層２と同様であるので、下記を参照されたい。ただし、副デザイン印刷層２１に表されるデザイン自体は、デザイン印刷層２と同じに限られるわけでなく、通常、副デザイン印刷層２１のデザインはデザイン印刷層２とは異なる。
副デザイン印刷層２１は、前記空き領域において、シート状基材７の第１面にインキを印刷することによって設けられる。
【００３６】
・不透明層
不透明層４は、透光性を有しつつ不透明な層である。
不透明層４は、任意の色彩を呈するが、それ自体には模様が表されておらず、無模様である。
不透明層４としては、例えば、無模様一色の印刷層が挙げられる。前記無模様一色の不透明層４としては、例えば、白色の印刷層、赤色の印刷層、青色の印刷層、黄色の印刷層などが挙げられる。
印刷層からなる不透明層４は、シート状基材７の第１面側においてベタ状に設けられている。
本明細書において、印刷層がベタ状であるとは、その印刷層を構成するインキが面方向に延在して１つの連続した層を成していることをいう。ただし、グラビア印刷法などの有版印刷法にて形成される印刷層は、ドット状に付着したインキの集合物から構成されるので、巨視的に見ると、そのインキが面方向に延在して１つの連続した層を成しているが、微視的に見ると、その面内に無数の微細な隙間が存在する場合があることに留意されたい。このように微視的に見ると、微細な隙間を有する場合でも、巨視的に１つの連続した層を成している場合には、ベタ状の範疇に含まれるものとする。
【００３７】
前記印刷層からなる不透明層４は、白色インキなどの所望の色彩のインキを、前記ホログラム反射層３及び副デザイン印刷層２１が設けられたシート状基材７の第１面側に、ベタ状に印刷することによって設けられる。
従って、不透明層４は、断続的なホログラム反射層３の第１面、副デザイン印刷層２１の第１面、及び空き領域にあってはシート状基材７の第１面に積層され、それらの各第１面に跨がるように１つの層状に積層されている。
印刷層からなる不透明層４の厚みは、特に限定されず、例えば、１μｍ〜５μｍである。
なお、図３、図６及び図７では、空き領域（視認部５）における不透明層４の厚みが他の部分における厚みよりも大きく描かれているが、これは作図上の便宜にすぎず、空き領域における不透明層４の厚みを大きくするという意味ではない。もっとも、空き領域における不透明層４の厚みが他の部分における厚みよりも大きくなるように、不透明層４を不均一厚みに形成してもよい。
【００３８】
・デザイン印刷層
デザイン印刷層２は、１色又は多色のインキを用いてデザインを描くようにして公知の印刷法にて印刷することによって形成された層である。デザイン印刷層２は、デザインを表すインキ部分のみから構成されていてもよく、或いは、前記インキ部分と前記デザインを表すインキ部分の背景に印刷された透光性を有する背景印刷層（例えば、透光性を有する白色の印刷層など）とから構成されていてもよい。デザイン印刷層２は、不透明層４の第１面にインキを印刷することによって設けられる。
デザインは、視覚的に識別できる文字、絵柄、記号などの任意の情報及び／又は模様をいい、前記所望の色彩のインキを用いて表される。デザイン印刷層２で表されるデザインは、特に限定されず、商品名、絵柄、説明書きなどが挙げられる。
インキとしては、特に限定されず、アクリル系樹脂、ウレタン系樹脂などのバインダー樹脂に顔料などの着色剤が配合された有色インキを用いることができる。
デザイン印刷層２は、透光性を有するものでもよく、透光性を有さないものでもよく、或いは、透光性を有さない部分と透光性を有する部分が混在しているものでもよい。
好ましくは、デザイン印刷層２は、視認部５に対応する部分が少なくとも透光性を有し、より好ましくは、全体的に透光性を有する。
【００３９】
また、デザイン印刷層２は、不透明層４の第１面の略全体にベタ状に設けられていてもよく、或いは、不透明層４の第１面の一部分に設けられていてもよい（換言すると、不透明層４の第１面にデザイン印刷層２を有さない部分が１つ又は複数箇所を有していてもよい）。
デザイン印刷層２のデザインは、貼付けラベルＡの第１面側から視認できる。なお、透光性を有する部分を有するデザイン印刷層２は、その透光性を有する部分においては不透明層４の色彩が見える又は不透明層４の色彩とデザイン印刷層２のインキの色彩が相俟って見えるようになる。
デザイン印刷層２の厚みは、特に限定されず、例えば、０．５μｍ〜５μｍである。
【００４０】
なお、本発明のラベル形成用基材１には、上記に示した各層以外に、任意の適切な機能層が設けられていてもよい。
機能層としては、例えば、デザイン印刷層２を保護するオーバーコート層などが挙げられる。機能層は、透光性を有する透明な層が用いられ、好ましくは、無色透明な層が用いられる。
【００４１】
＜ラベル形成用基材の製造方法＞
上記ラベル形成用基材１は、例えば、次のようにして製造できる。
図８に示すように、セパレータ６５にホログラム反射層３が剥離可能に積層されているホログラム転写シートを準備する。
他方、セパレータ６２の第１面に貼着剤層６１を介してシート状基材７が積層された積層シートの、シート状基材７の第１面に、インキを印刷することによって副デザイン印刷層２１を形成する。さらに、シート状基材７の第１面に、接着剤を塗布することによって透明な接着層６３を形成する。接着剤の塗布範囲は、反射領域に対応する。接着剤の塗布方法は、特に限定されず、例えばグラビア印刷法などの各種印刷法が挙げられる。
【００４２】
そして、接着層６３が形成されたシート状基材７の第１面側に、転写シートのホログラム反射層３を重ね合わせた後、転写シートを引き剥がすことにより、図９に示すように、接着層６３にホログラム反射層３が接着（転写）する。このようにして、シート状基材７にホログラム反射層３を断続的に設けることができる。なお、副デザイン印刷層２１は、ホログラム反射層３を転写した後に形成してもよい。
事後、シート状基材７の第１面側に、白色インキなどを印刷して不透明層４を形成し、さらに、その不透明層４の第１面にデザイン印刷層２を印刷することにより、図１乃至図３に示すようなラベル形成用基材１を得ることができる。なお、必要に応じてデザイン印刷層２の表面に保護層やラミネート基材などを積層してもよい（図示せず）。
このラベル形成用基材１を所望形状に切り取ることにより、図４乃至図７に示すような貼付けラベルＡが得られる。
【００４３】
＜ラベル形成用基材及びラベルの外観＞
上記ラベル形成用基材１及び貼付けラベルＡを第１面側から見ると、図２及び図４に示すように、デザイン印刷層２のデザイン（図面ではデザイン印刷層２の表示を「ｄｅｓｉｇｎ」と表している）を視認できる。
また、透光性を有する透明な貼着剤層６１及びシート状基材７が用いられているので、ラベル形成用基材１及び貼付けラベルＡを第２面側から見ると、図５に示すように、副デザイン印刷層２１のデザイン（図面では副デザイン印刷層２１の表示を「デザイン」と表している）、及び、反射領域のホログラム反射層３に起因するホログラム調の模様を視認できる。図５において、判り易く図示するため、ホログラム調の模様が見える箇所に網掛けを付している（以下、他の図における網掛けも同様である）。
【００４４】
さらに、本発明においては、断続的に設けられたホログラム反射層３の間に、空き領域を有し、その空き領域が視認部５とされているので、第２面側から見ると、視認部５において不透明層４の色彩が透けて見えるようになる（図面では、透けて見える不透明層の色彩模様を白抜きＡで表している）。
このように、本発明のラベル形成用基材１及びラベルは、デザイン印刷層２（及び副デザイン印刷層２１）のデザイン及びホログラム調の模様に加えて、視認部５における不透明層４の色彩が模様となって視認され、装飾性に優れたラベル形成用基材１及びラベルを提供できる。また、ホログラム調の模様と不透明層４の色彩模様とが相まって、見る角度によって不透明層４の色彩模様の見え方が変わるので、さらに装飾性に優れる。
特に、視認部５の平面視形状を看者の注意を惹きやすい形状とすることにより、装飾性に優れ且つ商品価値の高いラベル形成用基材及びラベルを提供できる。
【００４５】
＜ラベル付き物品＞
上記貼付けラベルＡは、任意の物品に貼り付けて使用される。
物品は、商品そのものでもよく、商品が包材に収容されている包装体でもよい。
商品そのものとしては、例えば、おもちゃ、機械装置及びその部品などが挙げられる。包装体としては、例えば、飲料や調味料などの飲食品、化粧品などの美容品、シャンプーなどのサニタリー品、消毒薬などの医薬品・工業薬品などの商品が収容された硬質容器；前記飲食品などの商品が収容された軟包材；前記飲食品などの商品が収容された紙箱などが挙げられる。
図１０及び図１１は、サニタリー品などの商品が硬質容器に収容された物品Ｂを示す。
前記硬質容器は、特に限定されず、例えば、合成樹脂成形容器、金属容器、ガラス容器、陶器容器などが挙げられる。
特に、透光性を有する物品Ｂ（硬質容器などの包材及び商品の何れも透光性を有する）が好ましく、透光性を有する透明な物品Ｂ（硬質容器などの包材及び商品の何れも透光性を有し且つ透明である）がより好ましい。
【００４６】
上記貼付けラベルＡをセパレータ６２から剥離し、物品Ｂの外面に貼着剤層６１を介して貼り付ける。第２面側に貼着剤層６１が設けられている貼付けラベルＡは、デザイン印刷層２が設けられた第１面側を物品Ｂの外側にして貼り付けられる。
得られたラベル付き物品Ｃは、図１０に示すように、その正面側（貼付けラベルＡの第１面側）からデザイン印刷層２のデザインを視認できる。また、図１１に示すように、ラベル付き物品Ｃの背面側から物品Ｂを透視して、ホログラム調の模様及び視認部５における不透明層４の色彩模様を視認できる。
なお、貼付けラベルＡと対面する物品Ｂの外面に、本発明のラベルとは別個のラベルを貼着してもよい。特に、透明基調の別個のラベルを貼着することにより、この透明基調のラベルを透視して、貼付けラベルＡの第２面側であるホログラム調の模様及び視認部５における不透明層４の色彩模様を視認することもでき、両ラベルの相乗効果により、装飾性に優れた外観を有するラベル付き物品を構成できる。
【００４７】
本発明は、上記第１実施形態に限られず、本発明の意図する範囲で様々に変更できる。以下、本発明の変形例及び第２実施形態を説明するが、主として上記で示した実施形態と異なる構成について説明し、同様の構成等については、その説明を省略し、用語及び符号を援用することがある。
【００４８】
［第１実施形態の変形例］
上記第１実施形態におけるラベル形成用基材１は、様々に変更できる。
本欄で、ラベル形成用基材１及びラベルの様々な変形例を図面を参照しつつ説明するが、ラベル形成用基材１とラベルの層構成は殆ど同じであるため、その図面としてラベルの断面図（各変形例のラベルを、図５のＶＩ−ＶＩ線と同様の箇所で切断したもの）を摘示し、変形例に係るラベル形成用基材１の断面図は省略する。
例えば、図１２に示すように、副デザイン印刷層２１が設けられていない貼付けラベルＡ（及びラベル形成用基材１）でもよい。この場合、上記第１実施形態において副デザイン印刷層２１が設けられていた領域が視認部５となる。
【００４９】
また、上記第１実施形態では、１つの空き領域のみに副デザイン印刷層２１が設けられているが、副デザイン印刷層２１が、図１３に示すように、任意の空き領域と反射領域の一部に跨がって設けられていてもよい。換言すると、副デザイン印刷層２１の一部分がホログラム反射層３に重なり、副デザイン印刷層２１の一部分がホログラム反射層を有さない領域に重なって設けられていてもよい。この形態は、副デザイン印刷層２１が複数の空き領域に設けられている形態であり、副デザイン印刷層２１が空き領域の少なくとも１つに設けられていることに変わりがない。この場合、副デザイン印刷層２１は、デザインを表すインキ部分と前記デザインを表すインキ部分の背景に印刷された透光性を有する背景印刷層（例えば、透光性を有する白色の印刷層など）とから構成されていることが好ましい。この副デザイン印刷層２１の背景印刷層は、図１３で図示しないが、第１面側（ホログラム反射層側）に設けられる。不透明層４と副デザイン印刷層２１の背景印刷層の間に、ホログラム反射層３が介在されることにより、副デザイン印刷層２１のデザインがより綺麗に見えるようになる。
【００５０】
また、図１４に示すように、貼付けラベルＡ（及びラベル形成用基材１）は、第２面側から第１面側に向かって順に、貼着剤層６１／断続的なホログラム反射層３及び必要に応じて設けられる副デザイン印刷層２１／不透明層４／シート状基材７／デザイン印刷層２という層構成でもよい。
【００５１】
さらに、上記第１実施形態では、不透明層４として白色印刷層などの印刷層が用いられ且つシート状基材７として透光性を有する透明な基材が用いられているが、シート状基材７として透光性を有する不透明な基材を用いることもできる。透光性を有する不透明なシート状基材７を用いた場合には、そのシート状基材７を不透明層として用いることもでき、この場合には、図１５に示すように、白色印刷層などの印刷層からなる不透明層を省略し、透光性を有する不透明なシート状基材７の第１面側にデザイン印刷層２を設け且つ第２面側に断続的なホログラム反射層３を設けてもよい。もちろん、透光性を有する不透明なシート状基材７に白色印刷層などの印刷層を設けてもよい。
【００５２】
透光性を有する不透明なシート状基材７としては、上記列記したような、乳白色の合成樹脂製シート、着色合成樹脂製シート、合成紙、発泡樹脂シート、不織布、又は、これらを含む積層体などが挙げられる。これらの中では、乳白色の合成樹脂製シート（乳白フィルムとも呼ばれる）が好ましい。乳白色の合成樹脂製シートは、白色を呈するシートであり、例えば、二酸化チタンなどの白色顔料を含む樹脂材料からなるシート、内部にボイドなどの無数の気泡が形成された樹脂シートなどが挙げられる。
【００５３】
また、上記第１実施形態では、第２面側に貼着剤層６１が設けられているが、例えば、図１６に示すように、第１面側に貼着剤層６１が設けられていてもよい。
【００５４】
なお、上記第１実施形態では、ラベル形成用基材１と共にセパレータ６２も切断することにより、セパレータ付きの枚葉状の貼付けラベルＡを例示しているが、これに限定されない。例えば、セパレータ６２に仮貼付された長尺帯状のラベル形成用基材１のうち、ラベル形成用基材１のみを切断してもよい。このようにして得られた貼付けラベルＡは、図１７に示すように、長尺帯状のセパレータ６２の長手方向に並んで仮貼付された状態で提供される。
【００５５】
［第２実施形態］
第２実施形態は、不透明層４を基準にして、その第１面側にデザイン印刷層２及び断続的なホログラム反射層３が設けられているラベル形成用基材１及びその基材から形成されるラベルに関する。
【００５６】
＜ラベル形成用基材＞
図１８は、ラベル形成用基材を第１面側から見た平面図であり、図１９は、ラベル形成用基材を長手方向で切断した拡大断面図である。
前記長尺帯状のラベル形成用基材１を切り出すことにより、個々のラベルを作製できる。
第２実施形態では、任意の物品の周囲に筒状に装着されるラベル（以下、筒状ラベルという）を形成するラベル形成用基材１を説明する。
前記長尺帯状のラベル形成用基材１には、１つの筒状ラベルＡを構成するデザインが長手方向に繰り返して形成されている。図１８の一点鎖線は、ラベル形成用基材１から筒状ラベルを形成する際の、切り取り線を示している。また、図１９の矢印は、前記切り取り線に対応する箇所を指し示している。
【００５７】
図２０及び図２１は、前記ラベル形成用基材から形成された１つの筒状ラベルを示している。この筒状ラベルとラベル形成用基材の層構成などは、殆ど同じである。
以下、筒状ラベルの層構成などを主として詳述し、ラベル形成用基材を示す図面に同じ符号を付し、筒状ラベル及びラベル形成用基材を、単に筒状ラベルと記す場合がある。
【００５８】
筒状ラベルＡ及びラベル形成用基材１のそれぞれは、デザインが表されたデザイン印刷層２と、金属膜３１を含むホログラム反射層３と、透光性を有する無模様の不透明層４と、を有する。
本実施形態の筒状ラベルＡ及びラベル形成用基材１は、前記デザイン印刷層２及び断続的なホログラム反射層３が、いずれも不透明層４の第１面側に設けられている。そして、前記ホログラム反射層３を有さない領域の一部分又は全部に、第１面側から前記不透明層４を視認できる視認部５が設けられている。
【００５９】
具体的には、筒状ラベルＡ及びラベル形成用基材１のそれぞれは、図１９及び図２１に示すように、第２面側から第１面側に向かって順に、不透明層４と、断続的なホログラム反射層３及びデザイン印刷層２と、シート状基材７と、を有する。
筒状ラベルＡは、長尺帯状のラベル形成用基材１を切断して平面視四角形の基材を得、その四角形の基材の第１面側を外側にして丸め、第１側端部１ａと第２側端部１ｂを重ね合わせて接着することにより、筒状に形成されている（図２０参照）。
【００６０】
・シート状基材
シート状基材７は、上記第１実施形態に例示のようなものを用いることができ、光学的観点では、透光性を有する透明なシート状基材７が用いられ、好ましくは、透光性を有する無色透明なシート状基材７が用いられる。
また、収縮性の観点では、熱収縮性及び／又は自己伸縮性を有するシート状基材７を用いることが好ましい。
熱収縮性は、例えば７０℃〜１００℃のような所望温度に加熱されると収縮する性質をいい、自己伸縮性は、引張ると拡張し、引張り力を解除するとほぼ元の形状に戻る性質をいう。
熱収縮性を有するシート状基材７を用いたラベル形成用基材１から得られる筒状ラベルＡは、少なくとも一方向に熱収縮し、自己伸縮性を有するシート状基材７を用いたラベル形成用基材１から得られる筒状ラベルＡは、少なくとも一方向に自己伸縮する。
図１８に示すようなラベル形成用基材１の場合には、例えば、その短手方向において熱収縮及び／又は自己伸縮し、その基材の短手方向を周方向にして筒状に形成することにより、筒状ラベルＡが構成される。
熱収縮性を有するシート状基材７、自己伸縮性を有するシート状基材７、並びに、熱収縮性及び自己伸縮性を有するシート状基材７は、それぞれ公知なシート材から適宜選択される。
【００６１】
・ホログラム反射層３及びデザイン印刷層２
ホログラム反射層３は、不透明層４の第１面側であって、シート状基材７の第２面側に設けられている。
ホログラム反射層３は、接着層６３を介してシート状基材７の第２面に接着されている。なお、ホログラム反射層３がシート状基材７に直接的に接着可能である場合には、前記接着層６３を省略することもできる。
ホログラム反射層３は、上記第１実施形態と同様に、面方向に断続的に設けられている。ホログラム反射層３が断続的に設けられることによって、シート状基材７の第２面側（不透明層４の第１面側）において前記ホログラム反射層３を有さない領域（空き領域）が生じ、好ましくは、ホログラム反射層３を有さない領域が複数箇所生じる。
【００６２】
平面視において、反射領域と空き領域は、何れか一方の領域を海とし且つ何れか他方を島とする海島状に配設されていてもよく、何れを海又は島とも言えない非海島状に配設されていてもよい。好ましくは、ホログラム反射層３は、反射領域及び空き領域の何れか一方の領域を海とし且つ何れか他方を複数の島とする海島状となった部分を有するように断続的に設けられ、より好ましくは、反射領域を海とし且つ空き領域を複数の島とする海島状となった部分を有するように断続的に設けられる。
図示例では、複数の空き領域から選ばれる１つの空き領域が、比較的大面積の平面視略四角形状に形成され、残部の複数の空き領域が全て任意の平面視模様に形成されている。
【００６３】
そして、前記複数の空き領域のうち少なくとも１つが、第１面側から前記不透明層４を視認できる視認部５とされている。
また、前記複数の空き領域のうち少なくとも１つに、デザイン印刷層２が設けられている。
図示例では、１つの空き領域である平面視略四角形状の空き領域に、デザイン印刷層２が設けられ、前記以外の任意の平面視模様の空き領域の全てが、視認部５とされている。
【００６４】
・不透明層
不透明層４は、断続的なホログラム反射層３の第２面、デザイン印刷層２の第２面、及び空き領域にあってはシート状基材７の第２面に積層され、それらの各第２面に跨がるように１つの層状に積層されている。
なお、不透明層４の表面に保護層や滑り性を付与する滑り層などを設けてもよい。
【００６５】
＜ラベル形成用基材の製造方法＞
上記ラベル形成用基材１は、例えば、次のようにして製造できる。
シート状基材７の第２面に、インキを印刷することによってデザイン印刷層２を形成し、さらに、シート状基材７の第２面に、接着剤を塗布することによって透明な接着層６３を形成する。接着剤の塗布範囲は、反射領域に対応する。
そして、前記接着層６３が形成されたシート状基材７の第２面側に、ホログラム転写シートのホログラム反射層３を重ね合わせた後、転写シートを引き剥がすことにより、接着層６３にホログラム反射層３が接着（転写）する。事後、シート状基材７の第２面側に、白色インキなどを印刷して不透明層４を形成することにより、図１８及び図１９に示すようなラベル形成用基材１を得ることができる。
【００６６】
＜ラベル形成用基材及びラベルの外観＞
上記ラベル形成用基材１及び筒状ラベルＡを第１面側から見ると、図１８及び図２０に示すように、デザイン印刷層２のデザイン（図面ではデザイン印刷層２の表示を「ｄｅｓｉｇｎ」と表している）を視認できる。
また、ラベル形成用基材１及び筒状ラベルＡを第１面側から見ると、デザイン印刷層２のデザインに加えて、ホログラム反射層３に起因するホログラム調の模様及び視認部５における不透明層４の色彩が透けて見えるようになる。
上記筒状ラベルＡは、従来と同様に、所望の物品に装着して使用される。
【００６７】
［第２実施形態の変形例］
上記第２実施形態におけるラベル形成用基材１は、様々に変更できる。
例えば、図２２に示すように、シート状基材７の第１面に不透明層４がベタ状に設けられ、その不透明層４の第１面に、デザイン印刷層２と断続的なホログラム反射層３が面方向に並んで設けられていてもよい。
また、図２２の例において、シート状基材７として透光性を有する不透明な基材を用いた場合には、そのシート状基材７を不透明層とし、白色印刷層などの印刷層からなる不透明層４を省略してもよい。
【００６８】
［第３実施形態］
また、上記第１実施形態及びその変形例で示した層構成のラベル形成用基材を用いて筒状ラベルを形成してもよく、或いは、上記第２実施形態及びその変形例で示した層構成のラベル形成用基材を用いて、貼付けラベルを形成してもよい。
その他、上記各実施形態及び変形例から選ばれる２以上の構成を適宜組み合わせてもよく、或いは、上記各実施形態及び変形例から選ばれる１つ又は２つ以上の構成を、それ以外の実施形態及び変形例に置換してもよい。
【符号の説明】
【００６９】
１  ラベル形成用基材
２  デザイン印刷層
２１  副デザイン印刷層
３  ホログラム反射層
３１  金属膜
４  不透明層
５  視認部
７  シート状基材
Ａ  ラベル
【図１】
2018169558.tif 000003
【図２】
2018169558.tif 000004
【図３】
2018169558.tif 000005
【図４】
2018169558.tif 000006
【図５】
2018169558.tif 000007
【図６】
2018169558.tif 000008
【図７】
2018169558.tif 000009
【図８】
2018169558.tif 000010
【図９】
2018169558.tif 000011
【図１０】
2018169558.tif 000012
【図１１】
2018169558.tif 000013
【図１２】
2018169558.tif 000014
【図１３】
2018169558.tif 000015
【図１４】
2018169558.tif 000016
【図１５】
2018169558.tif 000017
【図１６】
2018169558.tif 000018
【図１７】
2018169558.tif 000019
【図１８】
2018169558.tif 000020
【図１９】
2018169558.tif 000021
【図２０】
2018169558.tif 000022
【図２１】
2018169558.tif 000023
【図２２】
2018169558.tif 000024